【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
無線通信の方法であって、
無線通信のための装置によって、複数のキャリアに関係する条件を決定することと、
前記装置によって、前記条件に基づいて前記複数のキャリアからキャリアの所望される数を識別することと、
前記装置によって、前記キャリアの識別された所望される数に基づいて前記複数のキャリアの少なくとも１つの選択されたキャリアについてのＲＵＭ（リソース利用メッセージ）を送信することと、を備え、前記ＲＵＭは、前記選択されたキャリアで送信し、前記装置の近隣における干渉する送信ノードが前記選択されたキャリアで送信することをブロックするために、前記装置による要求を示し、前記送信することは、前記ＲＵＭを前記装置の近隣における前記干渉する送信ノードにブロードキャストすることを含み、前記送信することは、前記干渉する送信ノードによる干渉が、干渉の所定のしきい値レベルを超えたことを決定することにさらに基づく、方法。
【請求項２】
前記条件は、前記複数のキャリアに関する干渉／熱雑音（ＩＯＴ）のレベル、キャリア対干渉比（Ｃ／Ｉ）及びスペクトル効率のレベルの少なくとも１つを含む請求項１に記載の方法。
【請求項３】
前記条件は、前記複数のキャリアに関するサービス品質（ＱｏＳ）要件を含み、前記ＱｏＳ要件は、データ速度、送信されるべきデータの量、レイテンシのレベル及びトラヒッククラス、の少なくとも１つを含む請求項１に記載の方法。
【請求項４】
前記決定することは、
信号を受信すること及びと、
前記信号から前記条件を導き出すことと、を備える請求項１に記載の方法。
【請求項５】
前記信号は、前記複数のキャリアの好ましい数の指示を含む請求項４に記載の方法。
【請求項６】
前記信号は、関連するノードにおいて決定された前記複数のキャリアに関する干渉／熱雑音（ＩＯＴ）のレベル、キャリア対干渉比（Ｃ／Ｉ）、スペクトル効率のレベル及び少なくとも１つの受信されたＲＵＭ、の少なくとも１つの指示を含む請求項４に記載の方法。
【請求項７】
前記識別することは、
前記条件に基づいて重みを決定すること及びと、
前記重みに基づいてキャリアの前記所望される数を選択することと、を備える請求項１に記載の方法。
【請求項８】
前記識別することは、
関連するノードの数を決定すること及びと、
前記関連するノードの数に基づいてキャリアの前記所望される数を選択することと、を備える請求項１に記載の方法。
【請求項９】
前記選択することは、前記関連するノードの数に比例してキャリアの前記所望される数を選択すること、を備える請求項８に記載の方法。
【請求項１０】
前記識別することは、
関連するノードの優先度を決定すること及びと、
前記優先度に基づいて前記キャリアの所望される数を選択することと、を備える請求項１に記載の方法。
【請求項１１】
キャリアの前記所望される数は、前記装置が他の装置による使用をブロックすることを所望するキャリアの数である、請求項１に記載の方法。
【請求項１２】
前記条件が続いて向上するかどうかを決定することと、
前記条件が向上する場合、キャリアの前記所望される数を減らすことと、をさらに備える請求項１１に記載の方法。
【請求項１３】
前記キャリアの所望される数は、不利の度合いを示し、前記不利は、前記装置に関する目標値対実際の値の比の関数である、請求項１に記載の方法。
【請求項１４】
前記目標値および実際の値は、スループット、スペクトル効率、レイテンシ、干渉またはデータ速度、の少なくとも１つに基づく、請求項１３に記載の方法。
【請求項１５】
前記ＲＵＭは、前記装置が前記干渉する送信ノードからの干渉により送信において経験している不利の度合いを示す重みをさらに備える、請求項１に記載の方法。
【請求項１６】
前記送信することは、前記ＲＵＭを前記装置の近隣における前記干渉する送信ノードにブロードキャストすることを備える、請求項１に記載の方法。
【請求項１７】
前記送信することは、前記干渉する送信ノードによる干渉が、干渉の所定のしきい値レベルを超えたことを決定することにさらに基づく、請求項１に記載の方法。
【請求項１８】
無線データ通信のための装置であって、
複数のキャリアに関係する条件を決定する手段と、
前記条件に基づいて前記複数のキャリアからキャリアの所望される数を識別する手段と、
前記キャリアの識別された所望される数に基づいて前記複数のキャリアの少なくとも１つの選択されたキャリアについてのリソース利用メッセージ（ＲＵＭ）を送信する手段と、を備え、前記ＲＵＭは、前記選択されたキャリアで送信し、前記装置の近隣における干渉する送信機が前記選択されたキャリアで送信することをブロックするために、前記装置による要求を示し、前記送信することは、前記ＲＵＭを前記装置の近隣における前記干渉する送信機にブロードキャストすることを含み、前記送信することは、前記干渉する送信機による干渉が、干渉の所定のしきい値レベルを超えたことを決定することにさらに基づく、装置。
【請求項１９】
前記条件は、前記複数のキャリアに関する干渉／熱雑音（ＩＯＴ）のレベル、キャリア対干渉比（Ｃ／Ｉ）及びスペクトル効率のレベル、の少なくとも１つを備える請求項１８に記載の装置。
【請求項２０】
前記条件は、前記複数のキャリアに関するサービス品質（ＱｏＳ）要件を含み、前記ＱｏＳ要件は、データ速度、送信されるべきデータの量、レイテンシのレベル及びトラヒッククラス、の少なくとも１つを含む請求項１８に記載の装置。
【請求項２１】
前記決定手段は、
信号を受信する手段と、
前記信号から前記条件を導き出す手段と、を備える請求項１８に記載の装置。
【請求項２２】
前記信号は、前記複数のキャリアの好ましい数の指示を含む請求項２１に記載の装置。
【請求項２３】
前記信号は、関連するノードにおいて決定された前記複数のキャリアに関する干渉／熱雑音（ＩＯＴ）のレベル、キャリア対干渉比（Ｃ／Ｉ）、スペクトル効率のレベル及び１つまたは複数の受信されたＲＵＭ、の少なくとも１つの指示を含む請求項２１に記載の装置。
【請求項２４】
前記識別手段は、
前記条件に基づいて重みを決定する手段と、
前記重みに基づいて前記キャリアの所望される数を選択する手段と、を備える請求項１８に記載の装置。
【請求項２５】
前記識別手段は、
関連するノードの数を決定する手段と、
前記関連するノードの数に基づいて前記キャリアの所望される数を選択する手段と、を備える請求項１８に記載の装置。
【請求項２６】
前記選択手段は、関連するノードの前記数に比例してキャリアの前記所望される数を選択する手段を備える請求項２５に記載の装置。
【請求項２７】
前記識別手段は、
関連するノードの優先度を決定する手段と、
前記優先度に基づいて前記キャリアの所望される量を選択する手段と、を備える請求項１８に記載の装置。
【請求項２８】
アンテナと、
前記アンテナに結合され、
前記アンテナを介して複数のキャリアに関係する条件を決定し、
前記条件に基づいて前記複数のキャリアからキャリアの所望される数を識別し、さらに
前記キャリアの識別された所望される数に基づいて前記複数のキャリアの少なくとも１つの選択されたキャリアについてのリソース利用メッセージ（ＲＵＭ）を送信するように構成された処理システムと、を備え、前記ＲＵＭは、前記選択されたキャリアで送信し、アクセスポイントの近隣における干渉する送信ノードが前記選択されたキャリアで送信することをブロックするために、前記アクセスポイントによる要求を示し、前記送信することは、前記ＲＵＭを前記アクセスポイントの近隣における前記干渉する送信ノードにブロードキャストすることを含み、前記送信することは、前記干渉する送信ノードによる干渉が、干渉の所定のしきい値レベルを超えたことを決定することにさらに基づく、アクセスポイント。
【請求項２９】
トランスデューサと、
前記トランスデューサに結合され、
前記トランスデューサで使用可能なデータを通信するのに使用可能な複数のキャリアに関係する条件を決定し、
前記条件に基づいて前記複数のキャリアからキャリアの所望される数を識別し、さらに
前記キャリアの識別された所望される数に基づいて前記複数のキャリアの少なくとも１つの選択されたキャリアについてのリソース利用メッセージ（ＲＵＭ）を送信するように構成された処理システムと、を備え、前記ＲＵＭは、前記選択されたキャリアで送信し、アクセス端末の近隣における干渉する送信ノードが前記選択されたキャリアで送信することをブロックするために、前記アクセス端末による要求を示し、前記送信することは、前記ＲＵＭを前記アクセス端末の近隣における前記干渉する送信ノードにブロードキャストすることを含み、前記送信することは、前記干渉する送信ノードによる干渉が、干渉の所定のしきい値レベルを超えたことを決定することにさらに基づく、アクセス端末。
【請求項３０】
無線データ通信のためのコンピュータ読み取り可能な記録媒体であって、
複数のキャリアに関係する条件を決定し、
前記条件に基づいて前記複数のキャリアからキャリアの所望される数を識別し、さらに
前記キャリアの識別された所望される数に基づいて前記複数のキャリアの少なくとも１つの選択されたキャリアについてのリソース利用メッセージ（ＲＵＭ）を送信するように実行可能なコードを備え、前記ＲＵＭは、前記選択されたキャリアで送信し、コンピュータ読み取り可能な記録媒体の近隣における干渉する送信ノードが前記選択されたキャリアで送信することをブロックするために、前記コンピュータ読み取り可能な記録媒体による要求を示し、前記送信することは、前記ＲＵＭを前記コンピュータ読み取り可能な記録媒体の近隣における前記干渉する送信ノードにブロードキャストすることを含み、前記送信することは、前記干渉する送信ノードによる干渉が、干渉の所定のしきい値レベルを超えたことを決定することにさらに基づく、コンピュータ読み取り可能な記録媒体。
【請求項３１】
無線データ通信のための装置であって、
複数のキャリアに関係する条件を決定し、
前記条件に基づいて前記複数のキャリアからキャリアの所望される数を識別し、さらに
前記キャリアの識別された所望される数に基づいて前記複数のキャリアの少なくとも１つの選択されたキャリアに関してリソース利用メッセージ（ＲＵＭ）を送信するように構成され、前記ＲＵＭは、前記選択されたキャリアで送信し、前記装置の近隣における干渉する送信ノードが前記選択されたキャリアで送信することをブロックするために、前記装置による要求を示し、前記送信することは、前記ＲＵＭを前記装置の近隣における前記干渉する送信ノードにブロードキャストすることを含み、前記送信することは、前記干渉する送信ノードによる干渉が、干渉の所定のしきい値レベルを超えたことを決定することにさらに基づく、処理システムを備える装置。
【請求項３２】
前記条件は、前記複数のキャリアに関する干渉／熱雑音（ＩＯＴ）のレベル、（キャリア対干渉比（Ｃ／Ｉ）及びスペクトル効率のレベル、の少なくとも１つを含む請求項３１に記載の装置。
【請求項３３】
前記条件は、前記複数のキャリアに関するサービス品質（ＱｏＳ）要件を含み、前記ＱｏＳ要件はデータ速度、送信されるべきデータの量、レイテンシのレベル及びトラヒッククラス、の少なくとも１つを含む請求項３１に記載の装置。
【請求項３４】
前記処理システムは、信号を受信し、さらに前記信号から前記条件を導き出すようにさらに構成される請求項３１に記載の装置。
【請求項３５】
前記信号は、前記複数のキャリアの好ましい数の指示を含む請求項３４に記載の装置。
【請求項３６】
前記信号は、関連するノードにおいて決定された前記複数のキャリアに関する干渉／熱雑音（ＩＯＴ）のレベル、キャリア対干渉比（Ｃ／Ｉ）、スペクトル効率のレベル及び１つまたは複数の受信されたＲＵＭ、の少なくとも１つの指示を含む請求項３４に記載の装置。
【請求項３７】
前記処理システムは、前記条件に基づいて重みを決定し、さらに前記重みに基づいて前記キャリアの所望される数を選択するようにさらに構成される請求項３１に記載の装置。
【請求項３８】
前記処理システムは、関連するノードの数を決定し、さらに前記関連するノードの数に基づいて前記キャリアの所望される数を選択するようにさらに構成される請求項３１に記載の装置。
【請求項３９】
前記処理システムは、前記関連するノードの数に比例して前記キャリアの所望される数を選択するようにさらに構成される請求項３８に記載の装置。
【請求項４０】
前記処理システムは、前記関連するノードの優先度を決定し、さらに前記優先度に基づいて前記キャリアの所望される数を選択するようにさらに構成される請求項３１に記載の装置。